(57)【要約】【課題】複数の視方向からの異なる表示に対応する表示装置の各視方向に同一の映像信号を表示させる場合に、映像のドット妨害に起因する画像品質の低下を防止することができる表示制御装置及び表示装置を提供する。【解決手段】複数のソース信号から異なる視方向に対応する映像信号を生成する映像信号生成部４２を備え、異なる視方向に対して異なる映像を同一画面上に表示可能な表示部１１に前記映像信号を出力する表示制御装置４であって、前記映像信号生成部４２は、各視方向に表示される映像のソース信号が同一のとき、一方の映像信号の走査ラインに対して他方の映像信号の走査ラインを所定ライン数だけ遅延させる遅延処理部４２４を備えている。【選択図】図６
2008175845.tif 000002
【特許請求の範囲】
【請求項１】
複数のソース信号から異なる視方向に対応する映像信号を生成する映像信号生成部を備え、異なる視方向に対して異なる映像を同一画面上に表示可能な表示部に前記映像信号を出力する表示制御装置であって、
前記映像信号生成部は、各視方向に表示される映像のソース信号が同一のとき、一方の映像信号の走査ラインに対して他方の映像信号の走査ラインを所定ライン数だけ遅延させる遅延処理部を備えている表示制御装置。
【請求項２】
前記遅延処理部は、ソース信号を構成する色副搬送波の走査ライン毎に制御される位相に基づいて決定されるライン数、フィールド数、またはフレーム数だけ走査ラインを遅延させる請求項１記載の表示制御装置。
【請求項３】
請求項１または２記載の表示制御装置と、前記表示制御装置から出力される映像信号に基づいて異なる視方向に対して異なる映像を同一画面上に表示可能な表示部とを備えてなる表示装置。
【発明の詳細な説明】
【技術分野】
【０００１】
本発明は、複数のソース信号から異なる視方向に対応する映像信号を生成する映像信号生成部を備え、異なる視方向に対して異なる映像を同一画面上に表示可能な表示部に前記映像信号を出力する表示制御装置、及び、前記表示制御装置と前記表示部とを備えてなる表示装置に関する。
【背景技術】
【０００２】
カラーテレビジョン受像機では、受信した映像信号であるコンポジットビデオ信号を輝度信号と色信号に分離する所謂Ｙ／Ｃ分離を行なう際に、前記輝度信号が変化する境界で前記色信号の搬送波である色副搬送波の成分が前記輝度信号の成分に漏れる現象、つまりドット妨害が発生して、画像品質を低下させる場合がある。
【０００３】
このような画像品質の低下を防止するために、入力したソース信号を所定の水平走査期間分だけ遅延させる技術が多数提案されている。
【０００４】
例えば、特許文献１に示す輝度信号／色信号分離回路は、ソース信号の色副搬送波周波数付近だけを通過させる帯域制限フィルタと、前記帯域制限フィルタの出力を１水平走査期間遅延させる１ライン遅延回路と、前記１ライン遅延回路の出力と前記帯域制限フィルタの出力の和を取る加算器と、前記加算器の出力を反転させる反転器と、前記反転器の出力と前記１ライン遅延回路の出力と前記帯域制限フィルタの出力のうち中間の値を持つ信号を選ぶ中間値選択回路と、前記帯域制限フィルタの出力から前記中間値選択回路の出力を引く減算器を備えて構成されており、以下に示すようにドット妨害を無くすことができる。
【０００５】
即ち、入力した輝度信号に変化がない場合には、前記中間値選択回路は、前記反転器の出力（つまり前記１ライン遅延回路で１走査期間遅延した後の信号）をそのまま出力する一方で、前記輝度信号に変化がある場合には、前記中間値選択回路は、１走査期間遅延する前の信号を出力するために、前記輝度信号に変化がある場合には、前記減算器の出力は打ち消されて零となり、ドット妨害を無くすことができる。
【０００６】
しかし、ＮＴＳＣ方式で映像信号を受信する際は、ドット妨害が発生しても、ＮＴＳＣ方式では１水平走査期間毎に色副搬送波の位相が１８０度ずれていることから、上述のような画像品質低下防止のための技術を用いない場合であっても、輝度信号に漏れ出た色副搬送波は隣接するライン間で平均化され目立ちにくくなる。つまり、図１に示すように、４種類の輝度の画素群「ｍ」から「ｍ＋３」の各画素群の境界付近でドット妨害が発生しても、色副搬送波の位相がα度の画素と色副搬送波の位相がα＋１８０度の画素が上下左右に亘って隣接することとなり、輝度信号に漏れ出た色副搬送波の成分は平均化されて表示画像において目立たなくなるのである。
【特許文献１】特開平６−２２３３２号公報
【発明の開示】
【発明が解決しようとする課題】
【０００７】
ところで、近年、ディスプレイの表示エリアのサイズを変えることなく、一つのディスプレイに任意のソース信号による映像と前記ソース信号と異なるソース信号による映像とを同時に表示させ、ある視方向から前記ディスプレイを見た場合と別の視方向から前記ディスプレイを見た場合とで夫々異なるソース信号による映像が見えるように構成されているマルチビューディスプレイが、車両のナビゲーションシステム等に用いられることが多くなっている。
【０００８】
例えば、前記マルチビューディスプレイのうち左右視方向で夫々異なるソース信号による映像が見えるように構成されているデュアルビューディスプレイの場合、左方向に対応する第一の画素群と右方向に対応する第二の画素群の二つの画素群が、所定のデータ線数毎に交互配列されて構成されている。
【０００９】
前記マルチビューディスプレイを用いた場合であっても、異なる方向から前記マルチビューディスプレイを見た場合に常に異なるソース信号による映像を表示させるとは限らず、異なる方向から前記マルチビューディスプレイを見た場合の映像が同一のソース信号による映像、つまり同一映像である場合もある。
【００１０】
このような場合に上述のようなドット妨害が発生すると、二つの視方向に対応する画素群の境界において隣接するソース信号の位相は同一となる。
【００１１】
つまり、通常のディスプレイでは、ドット妨害が発生しても、上述したように輝度信号に漏れ出た色副搬送波は上下ライン間及び左右ライン間で平均化され目立ちにくくなるが、前記マルチビューディスプレイでは、図２に示すように、上下の隣接ライン間では、図１の場合と同様に位相が１８０度ずれているために、輝度信号に漏れ出た色副搬送波は平均化されて目立たなくなるが、左右の隣接ライン間では、隣接した右視方向画素群と左視方向画素群の境界部分の画素とが同一位相となるために、輝度信号に漏れ出た色副搬送波は強調されてしまい画像品質の低下の原因となるのである。
【００１２】
本発明の目的は、上述した従来の問題点に鑑み、複数の視方向からの異なる表示に対応する表示装置の各視方向に同一の映像信号を表示させる場合に、映像のドット妨害に起因する画像品質の低下を防止することができる表示制御装置及び表示装置を提供する点にある。
【課題を解決するための手段】
【００１３】
上述の目的を達成するため、本発明による表示制御装置の特徴構成は、複数のソース信号から異なる視方向に対応する映像信号を生成する映像信号生成部を備え、異なる視方向に対して異なる映像を同一画面上に表示可能な表示部に前記映像信号を出力する表示制御装置であって、前記映像信号生成部は、各視方向に表示される映像のソース信号が同一のとき、一方の映像信号の走査ラインに対して他方の映像信号の走査ラインを所定ライン数だけ遅延させる遅延処理部を備えている点にある。
【００１４】
上述の構成によれば、遅延処理部が、一方の映像信号の走査ラインに対して他方の映像信号の走査ラインを、双方の映像信号の色副搬送波の位相が隣接ライン間で１８０度ずれるようなライン数だけ遅延させるので、輝度信号に漏れ出た色副搬送波は隣接ライン間で平均化され目立ちにくくなり、画像品質の低下を防止することができる。
【発明の効果】
【００１５】
以上説明した通り、本発明によれば、複数の視方向からの異なる表示に対応する表示装置の各視方向に同一の映像信号を表示させる場合に、映像のドット妨害に起因する画像品質の低下を防止することができる表示制御装置及び表示装置を提供することができるようになった。
【発明を実施するための最良の形態】
【００１６】
以下に、本発明による表示制御装置を、車両に搭載されており、異なる視方向に対して異なる映像または同一の映像を同一画面上に表示可能な表示装置に適用した実施形態について説明する。
【００１７】
図３に示すように、車両を目的地に誘導するナビゲーション装置Ｎと、地上波デジタル放送を受信する電波受信装置２と、ＤＶＤプレーヤー３と、これらから受け取ったソース信号に基づいた映像信号を画像として表示する表示装置１が車両に搭載され、前記表示装置１は、タッチパネル式の表示部１１と、前記表示部１１の表示を制御する表示制御装置４とを備えて構成されている。
【００１８】
前記ナビゲーション装置Ｎは、道路地図データを記憶した地図データ記憶手段５と、自車の位置情報を認識するＧＰＳ受信手段６と、ＧＰＳアンテナ６ａと、自車の走行状態を管理する自律航法手段７と、地図データに基づいて指定された目的地までの経路を探索する経路探索手段８と、地図上に自車の走行位置を表示する走行状態表示処理手段９と、各種の動作モードや動作条件を設定する操作制御部１０等を備えて構成され、単一または複数のＣＰＵとその動作プログラムが格納されたＲＯＭ及びワーキングエリアに使用されるＲＡＭを備えて各ブロックが制御されるように構成され、指定された地点に自車を誘導するナビゲーション機能を有している。
【００１９】
前記電波受信装置２は、受信アンテナ２０と、前記受信アンテナ２０を介して受信された伝送チャンネル（周波数帯域）を選局するチューナ２１と、選局された受信信号からデジタル信号を取り出して誤り訂正処理を行ないＴＳ（トランスポートストリーム）パケットを出力するＯＦＤＭ復調部２２と、ＴＳパケットのうち映像・音声パケットから音声信号を復号してスピーカＳＰ（図示せず）に出力するとともに、映像信号を復号して前記表示制御装置４に出力するデコーダ２３を備えたデジタルテレビ受信機として構成されている。
【００２０】
前記表示部１１は、異なる視方向に対して異なる映像または同一の映像を同一画面上に表示可能に構成されており、図４に示すように、ＴＦＴアレイ９１６を形成したＴＦＴ基板９１２とそれに対向して配置される対向基板９１４の間に液晶層９１３を挟持した一対の基板を２枚の偏光板９１１の間に配置した液晶パネルと、マイクロレンズと遮光スリットを形成した視差バリア層９１５を形成した視差バリア基板９１７とを一体形成して構成されている。
【００２１】
前記ＴＦＴアレイ９１６は、図５に示すように、データ線９２５と走査線９２４によって囲まれた領域を一単位とする複数の画素が形成され、各画素には液晶層９１３に電圧を印加する画素電極９２３と、それをスイッチング制御するＴＦＴ素子９２２が形成されている。走査線駆動回路９２１はＴＦＴ素子９２２の選択走査を行い、またデータ線駆動回路９２０は、画素電極９２３への印加電圧を制御する。前記表示制御装置４は走査線駆動回路９２１及びデータ線駆動回路９２０の駆動タイミングを制御する。
【００２２】
前記複数の画素は、一列置き（一データ線置き）に配列（奇数列と偶数列に分類）された第一視方向に対応する第一の画素群と第二視方向に対応する第二の画素群の二つの画素群で形成され、それぞれはソースの異なる映像信号に基づいて各別に駆動される。図４に示すように、前記二つの画素群を通過した光は、それぞれ視差バリア層９１５によって異なる方向へ導かれ、或いは、特定方向の光は遮光されるため、空間上の表示面９１８近傍に限って、異なる方向へ異なる映像を表示することが可能となっている。尚、二つの画素群は一列置きに配列するものに限られるのではなく、画面内において分散配置されていればよい。
【００２３】
前記表示装置１は、運転席と助手席の中央部のフロントパネルに設置され、第一視方向としての運転席側から観察される映像と第二視方向としての助手席側から観察される映像がそれぞれ異なるように表示することが可能な構成となっている。例えば、助手席側では前記電波受信装置２で受信されたテレビプログラムの映像情報が観察される一方で、運転者席側では前記ナビゲーション装置Ｎによるルート案内映像が観察されるように構成されている。
【００２４】
前記表示制御装置４は、所定の制御プログラムに基づいて動作するＣＰＵ、制御用データ等を格納するＲＡＭ、制御プログラムが格納されたＲＯＭ、その他必要な周辺回路等で構成されている。
【００２５】
そして、前記表示制御装置４は、前記ＣＰＵにより実行される制御プログラムにより、以下に詳述する機能ブロックで実現される機能、つまり、複数のソース信号から異なる視方向に対応する映像信号を生成して、前記表示部１１に前記映像信号を出力する機能を実現するように構成されている。
【００２６】
以下、前記機能ブロックについて詳述する。前記機能ブロックは、図６に示すように、表示モード等を設定操作する操作制御部４１と、前記ソース信号を前記表示部１１に対応する映像信号に編集する映像信号生成部４２と、編集された映像信号を前記表示部１１の画面に表示する表示出力部４３と、車両のエンジンを駆動制御するエンジン電子制御部（図示せず）や前記ナビゲーション装置Ｎ等と必要な制御データ等を遣り取りするＣＡＮ用の通信インターフェース４４等で構成されている。
【００２７】
尚、前記ナビゲーション装置Ｎ、電波受信装置２、及びＤＶＤプレーヤー３等にも前記通信インターフェース４４に対応する通信インターフェースが備えられているが図面では省略されている。また、当該通信インターフェース４４はＣＡＮに限定されるものではなく、適宜公知の通信インターフェースを採用することができる。
【００２８】
前記操作制御部４１は、前記表示装置１にソース信号が入力されるナビゲーション装置Ｎ、電波受信装置２、ＤＶＤプレーヤー３夫々に対する操作キーを前記表示部１１の画面に表示するとともに、前記表示部１１に対する特有の操作キーを前記画面に表示し、タッチパネルを介して操作されたキーに対する所定の応答動作を前記通信インターフェース部４４を介して各機器に送信するユーザーインターフェースとして機能するように構成されている。
【００２９】
前記映像信号生成部４２は、前記ナビゲーション装置Ｎ、電波受信装置２、及びＤＶＤプレーヤー３等から入力されたソース信号から、前記操作制御部４１で操作された表示条件に基づいてソース信号を選択するスイッチング回路としてのソース信号選択部４２１と、前記ソース信号選択部４２１で選択された二系統の各ソース信号を輝度信号と色信号に分離する処理を行なうデコード部４２２（４２２ａ、４２２ｂ）と、前記デコード部４２２で分離された輝度信号と色信号に基づいて映像信号としてのＲＧＢ信号を生成するＲＧＢ信号生成部４２３（４２３ａ、４２３ｂ）と、前記ＲＧＢ信号生成部４２３で生成された二系統の映像信号のうち一方の映像信号の走査ラインに対して他方の映像信号の走査ラインを所定ライン数だけ遅延させる遅延処理部４２４（４２４ａ、４２４ｂ）と、二系統の映像信号を単一の映像信号に合成編集する合成編集部４２５と、合成編集された合成映像信号をバッファリングする出力バッファ４２６を備えて構成されている。
【００３０】
前記デコード部４２２は、前記ソース信号選択部４２１から入力してきたソース信号のうち、色副搬送波の周波数近傍の信号のみを通過させて色信号Ｃを出力するバンドパスフィルタ５０（５０ａ、５０ｂ）と、前記ソース信号から前記バンドパスフィルタ５０の出力を減じて輝度信号Ｙを出力する減算器５１（５１ａ、５１ｂ）とを備えて構成されている。
【００３１】
前記ＲＧＢ信号生成部４２３は、前記デコード部４２２で分離された色信号Ｃに基づいて２種の色差信号（Ｂ−Ｙ）、（Ｒ−Ｙ）を取り出す色信号復調部５２（５２ａ、５２ｂ）と、前記デコード部４２２で分離された輝度信号Ｙと前記色差信号（Ｂ−Ｙ）、（Ｒ−Ｙ）に基づいてＲＧＢ信号を生成するマトリックス部５３（５３ａ、５３ｂ）とを備えて構成されている。
【００３２】
前記色信号復調部５２は、〔数１〕で示される色信号Ｃの各ベクトル成分を分解することで色差信号Ｒ−Ｙ、Ｂ−Ｙを取り出すように構成されており、公知の色差信号復調回路を用いることができる。
【数１】
2008175845.tif 000003
【００３３】
ここで、ｆｓｃは色副搬送波の周波数を示し、例えば、ＮＴＳＣ方式の場合は、ｆｓｃ＝３．５７９５４５ＭＨｚである。
【００３４】
前記マトリックス部５３は、〔数２〕に、輝度信号Ｙ並びに色差信号（Ｒ−Ｙ）及び（Ｂ−Ｙ）を適用することでＲ、Ｇ、Ｂの３信号よりなるＲＧＢ信号（映像信号）を導出するように構成されている。
【数２】
2008175845.tif 000004
【００３５】
前記遅延処理部４２４は、各視方向に表示される映像のソース信号が同一のとき、一方の映像信号の走査ラインに対して他方の映像信号の走査ラインを所定ライン数だけ遅延させるように構成されており、入力してきた映像信号の出力先を切り替えるスイッチ回路５４（５４ａ、５４ｂ）と、入力してきた映像信号を所定期間だけ格納するメモリ等で構成される遅延素子５５（５５ａ、５５ｂ）とを備えている。
【００３６】
前記スイッチ回路５４は、前記マトリックス部５３より入力してきた映像信号を、前記遅延素子５５を介して前記合成編集部４２５へ出力させるか、前記遅延素子５５を介することなく直接に前記合成編集部４２５へ出力させるかを切り替えるように構成されている。
【００３７】
詳述すると、前記遅延処理部４２４は、前記デコード部４２２ａを経由してきたソース信号と前記デコード部４２２ｂを経由してきたソース信号のうち、一方のソース信号を前記遅延素子５５ａ（５５ｂ）を経由させて前記合成編集部４２５へ出力させ、他方のソース信号を前記遅延素子５５ｂ（５５ａ）を経由させずに直接に前記合成編集部４２５へ出力させることで、一方（他方）の映像信号の走査ラインを他方（一方）の映像信号の走査ラインより所定ライン数だけ遅延させているのである。
【００３８】
さらに詳述すると、前記遅延処理部４２４は、ソース信号を構成する色副搬送波の走査ライン毎に制御される位相に基づいて決定されるライン数だけ走査ラインを遅延させるように構成されており、例えば、入力ソース信号がＮＴＳＣ方式に基づく信号である場合、色副搬送波の位相は走査ライン毎に１８０度ずれていることから、前記所定ライン数は「１」に決定され、前記走査ラインはライン数「１」だけ遅延させられる。また、入力ソース信号がＰＡＬ方式に基づく信号である場合、色副搬送波の位相は走査ライン毎に９０度ずれていることから、前記所定ライン数は「２」に決定される。
【００３９】
上述で説明した所定ライン数は、前記表示制御装置４に入力するソース信号の種類と、前記ソース信号の種類に対して設定された遅延ライン数と、何れの遅延処理部４２４を遅延させるかの情報とが、前記表示制御装置４のＲＯＭにテーブルデータとして記憶されており、前記ソース信号の種類に応じたライン数を示すデータが前記テーブルデータから前記遅延処理部４２４に出力されて、当該データを受け取った前記遅延処理部４２４は、当該データで指定されたライン数だけ入力してきた映像信号の出力を一定期間だけ遅らせることで、前記表示部１１にて走査させる映像信号の走査ラインを遅延させる。
【００４０】
ＮＴＳＣ方式では、１水平走査期間毎に色副搬送波の位相が１８０度ずれており、ＰＡＬ方式では、１水平走査期間毎に色副搬送波の位相が９０度ずれていることから、上述の構成によれば、ソース信号を構成する色副搬送波の走査ライン毎に制御される位相に基づいて決定されるライン数を、隣接する走査ライン間での色副搬送波の位相が反転するようなライン数にすることができるので、輝度信号と色信号の分離の際に輝度信号に漏れ出た色副搬送波を隣接ライン間で平均化させて目立ちにくくさせ、画像品質の低下を防止することができる。
【００４１】
なお、前記遅延処理部４２４が、一方の映像信号の走査ラインに対して他方の映像信号の走査ラインを所定ライン数だけ遅延させるのは、各視方向に表示される映像のソース信号が同一のときだけである。つまり、各視方向の一方に表示される映像のソース信号と他方に表示される映像のソース信号とが、異なるソース（例えば、一方のソースがナビゲーション装置で、他方のソースがＤＶＤプレーヤー）の場合には、前記遅延処理部４２４は、前記デコード部４２２ａを経由してきたソース信号と前記デコード部４２２ｂを経由してきたソース信号の何れの信号をも、前記遅延素子５５を経由させずに直接に前記合成編集部４２５へ出力させるのである。
【００４２】
前記合成編集部４２５は、二系統のソース信号に基づく映像信号のうち何れか一方の映像信号により一方の方向に対応する画素群が駆動され、他方の映像信号により他方の方向に対応する画素群が駆動されるように、双方の映像信号の画素データの配列を必要に応じて間引き或いはフィルタ処理しながら編集処理するもので、このように合成編集されることにより、前記表示装置１の一方の方向からの観察者が一方の映像信号に対応した映像を観察でき、他方の方向からの観察者が他方の映像信号に対応した映像を観察できるようになる。
【００４３】
なお、前記遅延処理部４２４から前記合成編集部４２５へ出力される信号は、以下に示す何れかの組合せとなる。即ち、前記ＲＧＢ信号生成部４２３ａから出力されて前記遅延素子５５ａを経由した信号と前記ＲＧＢ信号生成部４２３ｂから出力されて前記遅延素子５５ｂを経由しなかった信号、前記ＲＧＢ信号生成部４２３ａから出力されて前記遅延素子５５ａを経由しなかった信号と前記ＲＧＢ信号生成部４２３ｂから出力されて前記遅延素子５５ｂを経由した信号、または、前記ＲＧＢ信号生成部４２３ａから出力されて前記遅延素子５５ａを経由しなかった信号と前記ＲＧＢ信号生成部４２３ｂから出力されて前記遅延素子５５ｂを経由しなかった信号の何れかである。
【００４４】
以下、表示制御装置４に入力したＮＴＳＣ方式のソース信号に基づいて、異なる視方向に対する同一の映像を表示部１１の同一画面上に表示する場合の、デュアルビューディスプレイとしての表示装置１の動作を図７に示すフローチャートに基づいて説明する。
【００４５】
オペレータが、表示装置１の操作キーを操作することで、デュアルビューディスプレイの両方の視方向に同一の画像を表示するモードを選択し、更に、表示するソース（本例ではソースとして電波受信装置２）を選択すると（Ｓ１）、ソース信号選択部４２１においてソース信号が選択される（Ｓ２）。なお、前記ソース信号は、前記電波受信装置２において受信されたコンポジットビデオ信号である。
【００４６】
本例では、デュアルビューディスプレイの両視方向に同一の画像を表示するモードが選択されているので、デコード部４２２ａと４２２ｂの何れにも同一のソース信号が入力される。そして、前記デコード部４２２ａと４２２ｂにおいて、前記ソース信号の各々は輝度信号Ｙと色信号Ｃに分離される（Ｓ３）。
【００４７】
次いで、ＲＧＢ信号生成部４２３ａ、４２３ｂにおいて、前記輝度信号Ｙと前記色信号Ｃに基づいて映像信号としてのＲＧＢ信号が生成される（Ｓ４）。
【００４８】
前記ＲＧＢ信号生成部４２３ａ、４２３ｂで生成されたＲＧＢ信号（映像信号）の各々が、遅延処理部４２４ａ、４２４ｂに入力されると、前記遅延処理部４２４ａ、４２４ｂは以下に詳述する遅延処理を行なう（Ｓ５）。
【００４９】
即ち、前記遅延処理部４２４ａ、４２４ｂは、表示制御装置４のＲＯＭに格納されているテーブルデータを参照して、遅延させるライン数と、何れの遅延処理部４２４を遅延させるかを決定する。本例では、遅延処理部４２４ｂを遅延処理部４２４ａよりも１ライン分遅延させる、つまり、前記遅延処理部４２４ｂを通過する信号を遅延素子５５ｂを介して合成編集部４２５に送り、前記遅延処理部４２４ａを通過する信号を遅延素子５５ａを介することなく合成編集部４２５に送るのである。
【００５０】
前記合成編集部４２５において、二系統のソース信号に基づく映像信号、つまり前記遅延処理部４２４ａを経由してきた映像信号と前記遅延処理部４２４ｂを経由してきた映像信号とが合成されることで、合成映像信号が生成される（Ｓ６）。
【００５１】
生成された合成映像信号は、表示出力部４３を介して表示部１１へ送られて表示される（Ｓ７）。
【００５２】
以下、別実施形態について説明する。上述の実施形態では、遅延処理部４２４は、ソース信号を構成する色副搬送波の走査ライン毎に制御される位相に基づいて決定されるライン数だけ走査ラインを遅延させる構成について説明したが、前記遅延処理部４２４は、ソース信号を構成する色副搬送波の走査ライン毎に制御される位相に基づいて決定されるフィールド数だけ走査ラインを遅延させる構成であってもよい。
【００５３】
以下に詳述する。ＮＴＳＣ方式で受信したソース信号の場合、表示部１１に表示される映像の１フレームを構成している２つのフィールドは、色副搬送波の位相が１８０度ずれている。
【００５４】
例えば、図８に示すように、表示部１１に表示される映像が５２５本の走査ラインで構成される映像の１フレームは、「１」から「２６３」の２６２．５本のラインよりなる第一フィールドと、「２６３」から「５２５」の２６２．５本のラインよりなる第二フィールドとで構成されており、隣接するライン（例えばライン「２」とライン「２６４」等）は相互に位相が１８０度ずれている。
【００５５】
ここで、前記遅延処理部４２４において、ソース信号の遅延を一切行なわない場合は、図８（ａ）に示すように、右視方向画素群と左視方向画素群の境界において、左右に隣接する画素が相互に強調された状態となっている。
【００５６】
一方、前記遅延処理部４２４において、前記デコード部４２２ｂを経由してきたソース信号（これを図８における左視方向画素群に相当するものとする）を、前記遅延素子５５ｂを経由させて１フィールド遅延させると、左視方向画素群に相当する画素のみ、第一フィールドと第二フィールドの位相が反転する、つまり、表示部１１に表示される映像が、１フィールド遅延させない場合は図８（ａ）に示す状態であるのが、１フィールド遅延させることによって図８（ｂ）に示す状態となるのである。
【００５７】
よって、上述の構成によれば、輝度信号と色信号の分離の際に輝度信号に漏れ出た色副搬送波はライン間で平均化され目立ちにくくなり、画像品質の低下を防止することができるのである。
【００５８】
なお、上述の説明では、ＮＴＳＣ方式で受信したソース信号の場合に１フィールド遅延させる構成について説明したが、遅延させるフィールド数は１フィールドに限定されず、受信方式に応じて異なるフィールド数を遅延させる構成であってもよい。
【００５９】
また、前記遅延処理部４２４は、ソース信号を構成する色副搬送波の走査ライン毎に制御される位相に基づいて決定されるフレーム数だけ走査ラインを遅延させる構成であってもよい。
【００６０】
以下に詳述する。ＮＴＳＣ方式で受信したソース信号の場合、表示部１１に表示される映像の任意のフレームのフィールドと、前記フレームの次に表示されるフレームの前記フィールドに対応するフィールドとは、色副搬送波の位相が１８０度ずれている。
【００６１】
例えば、図９に示すように、表示部１１に表示される映像の任意のフレームであって、フィールド「Ｖ１」とフィールド「Ｖ２」で構成されるフレーム「Ｆ１」と、前記フレーム「Ｆ１」の次のフレームであって、フィールド「Ｖ３」とフィールド「Ｖ４」で構成されるフレーム「Ｆ２」とでは、対応するフィールド相互間において色副搬送波の位相が１８０度ずれている。
【００６２】
つまり、フレーム「Ｆ１」のフィールド「Ｖ１」と、フレーム「Ｆ２」のフィールド「Ｖ３」は相互に色副搬送波の位相が１８０度ずれており、フレーム「Ｆ１」のフィールド「Ｖ２」と、フレーム「Ｆ２」のフィールド「Ｖ４」も相互に色副搬送波の位相が１８０度ずれているのである。
【００６３】
ここで、前記遅延処理部４２４において、ソース信号の遅延を一切行なわない場合は、図９（ａ）に示すように、右視方向画素群と左視方向画素群の境界において、左右に隣接する画素が相互に強調された状態となっている。
【００６４】
一方、前記遅延処理部４２４において、前記デコード部４２２ｂを経由してきたソース信号（これを図８における左視方向画素群に相当するものとする）を、前記遅延素子５５ｂを経由させて１フレーム遅延させると、左視方向画素群に相当する画素のみ、フレーム「Ｆ１」のフィールド「Ｖ２」の色副搬送波の位相が次のフレーム「Ｆ２」の対応フィールドであるフィールド「Ｖ４」の色副搬送波の位相となり、フレーム「Ｆ２」のフィールド「Ｖ４」の色副搬送波の位相が次のフレーム「Ｆ３」の対応フィールド、つまりフレーム「Ｆ１」の対応フィールドであるフィールド「Ｖ２」の色副搬送波の位相となることによって位相が反転する、つまり、表示部１１に表示される映像が、１フレーム遅延させない場合は図９（ａ）に示す状態であるのが、１フレーム遅延させることによって図９（ｂ）の状態となるのである。
【００６５】
よって、上述の構成によれば、輝度信号と色信号の分離の際に輝度信号に漏れ出た色副搬送波はライン間で平均化され目立ちにくくなり、画像品質の低下を防止することができるのである。
【００６６】
なお、上述の説明では、ＮＴＳＣ方式で受信したソース信号の場合に１フレーム遅延させる構成について説明したが、遅延させるフレーム数は１フレームに限定されず、受信方式に応じて異なるフレーム数を遅延させる構成であってもよい。
【００６７】
上述した何れの実施形態も、車載され、運転席と助手席から同時に異なる映像が観察できるマルチビューディスプレイとしての表示装置１について説明したが、本発明が対象とする表示装置は、車載されるものに限定するものではなく、また、二つの視方向以上の複数の視方向から同時に異なる映像が観察できるものも対象となる。
【００６８】
また、本実施形態で説明した、異なる視方向に対して異なる映像または同一の映像を同一画面上に表示可能なマルチビューディスプレイとしての表示装置１は、図４や図５等で説明したような構成に限定されるものではなく、特開２００３−１５５３５号公報に記載されたような構成を採用するもの等の他、有機ＥＬやプラズマディスプレイ、ＣＲＴ、ＳＥＤ等を用いて構成されたマルチビュー表示装置一般に対しても同様に適用することができる。
【００６９】
上述した実施形態は、本発明を実現する一実施例を説明するものであり、各部の具体的な回路構成は、本発明の作用効果を奏する限りにおいて、構築するシステムに応じて適宜変更設計することが可能である。
【図面の簡単な説明】
【００７０】
【図１】隣接画素間の色副搬送波の平均化についての説明図
【図２】隣接画素間の色副搬送波の強調についての説明図
【図３】本発明に係る表示装置のブロック構成図
【図４】液晶パネルの説明図
【図５】液晶パネルの駆動回路の説明図
【図６】本発明に係る表示制御装置のブロック構成図
【図７】本発明による表示装置の動作について説明するためのフローチャート
【図８】（ａ）は、走査ラインを遅延させない場合の画素表示を示し、（ｂ）は、所定フィールド数だけ走査ラインを遅延させた場合の画素表示を示した説明図
【図９】（ａ）は、走査ラインを遅延させない場合の画素表示を示し、（ｂ）は、所定フレーム数だけ走査ラインを遅延させた場合の画素表示を示した説明図
【符号の説明】
【００７１】
１：表示装置
１１：表示部
４：表示制御装置
４２：映像信号生成部
４２１：ソース信号選択部
４２２：デコード部
４２３：ＲＧＢ信号生成部
４２４：遅延処理部
４２５：合成編集部
【図１】
2008175845.tif 000005
【図２】
2008175845.tif 000006
【図３】
2008175845.tif 000007
【図４】
2008175845.tif 000008
【図５】
2008175845.tif 000009
【図６】
2008175845.tif 000010
【図７】
2008175845.tif 000011
【図８】
2008175845.tif 000012
【図９】
2008175845.tif 000013